(57)【要約】【課題】給水管からの接続口を水平方向に設け、又消火ヘッドの接続口を床面方向に供えることで、施工工数及び配管コストを削減できる消火設備の継手を得る。【解決手段】継手１において、感熱部接続口４を二次側ヘッド接続口３と一次側給水接続口２との間に設け、感熱部接続口４を天井側に配置したときに、二次側ヘッド接続口３が床面方向を向き、且つ一次側給水接続口２が水平方向を向くように、継手１の本体を略Ｌ字状に形成する。【選択図】図１
2007252502.tif 000002
【特許請求の範囲】
【請求項１】
感熱部が接続される感熱部接続口と、二次側ヘッド接続口と、一次側給水接続口とを本体に設け、該感熱部が火災時の熱を感知したときに移動する弁体を本体内に有する消火設備の継手において、該感熱部接続口を該二次側ヘッド接続口と該一次側給水接続口との間に設け、該感熱部接続口を天井側に配置したとき、該二次側ヘッド接続口が床面方向を向き、且つ該一次側給水接続口が水平方向を向くように、継手本体を略Ｌ字状に形成したことを特徴とする消火設備の継手。
【請求項２】
感熱部が接続される感熱部接続口と、二次側ヘッド接続口と、一次側給水接続口とを本体に設け、該感熱部が火災時の熱を感知したときに移動する弁体を本体内に有する消火設備の継手において、該本体を略Ｔ字状に形成して、両端と中央に接続口を有するものとし、該中央の接続口を一次側給水接続口とし、該両端の接続口の一方を感熱部接続口とし、その他方を二次側ヘッド接続口とし、該一次側給水接続口と該感熱部接続口との間に軸止されたアングル状の弁体を該一次側接続口と該ヘッド接続口との間を閉塞可能に設け、該アングル状の弁体に一端が当接し、他端が該感熱部接続口の感熱部に当接するピストンを備えたことを特徴とする消火設備の継手。
【発明の詳細な説明】
【技術分野】
【０００１】
この発明は、消火設備の継手、具体的には、所謂感熱開放継手（感熱継手）に関する。
【背景技術】
【０００２】
従来より、消火設備の継手であって、継手本体外部に設けられる感熱手段と、継手本体内部に設けられる弁体とを備え、感熱手段が火災時の熱を感知したときに、弁体が移動して水を弁体の一次側から二次側に供給する如く動作する所謂感熱開放継手（例えば特許文献１乃至３参照）が知られている。
【０００３】
【特許文献１】特開２００３−２２５３１８号公報
【特許文献２】特開平１０−１０８９１７号公報
【特許文献３】特開２００２−３０６６２６号公報
【０００４】
感熱開放継手において、感熱手段は、受熱効率を高めるために、天井に近くなるように配置される。このため、前記特許文献１乃至３に開示の様な従来の感熱開放継手の場合、図３にその一例を示す様に、感熱部接続口Ａを天井方向に向けると、一次側の給水口Ｂが床面方向を向き、二次側のヘッド接続口Ｃが水平方向を向くことになる。従って、水平方向に配置された給水管と一次側給水口Ｂとを接続するためにはエルボＤと中継接続管Ｅが必要であり、又床面に向かって配置される消火ヘッドとヘッド接続口Ｃとを接続するためにもエルボＦと中継接続管Ｇが必要である。
【発明の開示】
【発明が解決しようとする課題】
【０００５】
従って、消火設備に従来の感熱開放継手を設置するには、施工工数と配管コストが掛かるという問題がある。
【０００６】
前記事情に鑑み、この発明は、給水管と消火ヘッドの位置関係を考慮し、給水管からの接続口を水平方向に設け、又消火ヘッドの接続口を床面方向に供えることで、施工工数及び配管コストを削減できる消火設備の継手を得ることを目的とする。
【課題を解決するための手段】
【０００７】
前記目的を達成するこの発明について述べれば、次の通りである。
【０００８】
この発明の第１のものは、感熱部が接続される感熱部接続口と、二次側ヘッド接続口と、一次側給水接続口とを本体に設け、該感熱部が火災時の熱を感知したときに移動する弁体を本体内に有する消火設備の継手において、該感熱部接続口を該二次側ヘッド接続口と該一次側給水接続口との間に設け、該感熱部接続口を天井側に配置したとき、該二次側ヘッド接続口が床面方向を向き、且つ該一次側給水接続口が水平方向を向くように、継手本体を略Ｌ字状に形成したことを特徴とする消火設備の継手である。
【０００９】
又、この発明の第２のものは、感熱部が接続される感熱部接続口と、二次側ヘッド接続口と、一次側給水接続口とを本体に設け、該感熱部が火災時の熱を感知したときに移動する弁体を本体内に有する消火設備の継手において、該本体を略Ｔ字状に形成して、両端と中央に接続口を有するものとし、該中央の接続口を一次側給水接続口とし、該両端の接続口の一方を感熱部接続口とし、その他方を二次側ヘッド接続口とし、該一次側給水接続口と該感熱部接続口との間に軸止されたアングル状の弁体を該一次側給水接続口と該二次側ヘッド接続口との間を閉塞可能に設け、該アングル状の弁体に一端が当接し、他端が該感熱部接続口の感熱部に当接するピストンを備えたことを特徴とする消火設備の継手である。
【発明の効果】
【００１０】
この発明の消火設備の継手においては、天井側に感熱部を設置した場合、一次側給水口が水平方向に向くように配置されるので、水平に配置された給水管からは、長さを調節するための接続管だけを設けるだけで、給水管と一次側給水口とを接続できる。又、ヘッド接続口は床面方向を向くように配置されるので、ヘッド接続口と消火ヘッドとは長さを調節する接続管だけで両者を接続することができる。従って、従来必要であったエルボは不要となるので、施工工数、配管コスト費ともに削減することができる。
【発明を実施するための最良の形態】
【００１１】
この発明の実施の形態を図１及び２に基づき説明する。尚、図１は、この発明の第１の実施の形態を示す断面図で、（ａ）が常時（弁体が閉状態）における状態を、（ｂ）が作動時（弁体が開状態）における状態をそれぞれ示し、図２は同上の第２の実施の形態を示す断面図で、同様に、（ａ）が常時（弁体が閉状態）における状態を、（ｂ）が作動時（弁体が開状態）における状態をそれぞれ示している。
【００１２】
[第１の実施の形態]
先ず第１の実施の形態を図１に基づき説明する。図１において、感熱継手１の本体は、全体としては略Ｌ字状をなす屈曲状の管体により構成され、その屈曲状の管体の一方の端部に一次側給水接続口２を有し、その他方の端部に二次側ヘッド接続口３を有し、一次側給水接続口２と二次側ヘッド接続口３との間に、一次側給水接続口２とは９０度異なり、二次側ヘッド接続口３とは１８０度異なる開口方向を有する感熱部接続口４を有している。これにより、感熱継手１をその感熱部接続口４を天井方向に向けて設置すれば、一次側給水接続口２は水平方向を向き、二次側ヘッド接続口３は床面方向を向く様に構成されている。
【００１３】
更に、継手１の本体内には、当該本体内を一次側給水接続口２と直線状に連続する一次側５と二次側ヘッド接続口３と略Ｌ字状に連続する二次側６とに区画し、両者間の連通を開閉する弁部７が設けられている。弁部７は、具体的には、継手本体１内を一次側５と二次側６とに区画する隔壁８に形成された弁口９と、感熱部接続口４軸心に沿って移動可能に設けられ、弁口９を開閉する弁体１０によって構成されている。
【００１４】
感熱部接続口４には火災時の熱により溶融又は破裂する感熱部１２ａ（例えばグラスバルブ）を有する感熱ヘッド１２が接続され、常時、即ち火災監視時においては、図１（ａ）に示す様に、感熱ヘッド１２のアーム先端連結部１２ｂと、弁体１０の背面側に設けられた弁棒１１の基端部１１ａとの間に配置される感熱部１２ａによって、弁体１０は弁口９を塞いだ状態で支持される。そして、弁体１０は、感熱部１２ａが火災時の熱を感知したときに開放する方向に移動する様に本体内に設けられる。
【００１５】
感熱継手１は、例えば消火設備において継手であると共に火災発生時に熱を感知して弁を開放する感熱開放弁として設けられるものであり、一次側給水接続口２には給水配管（図示省略）に接続される中継接続管１３が接続され、二次側ヘッド接続口３には開放型消火用ヘッド（図示省略）に接続される中継接続管１４が接続される。尚、継手１の本体内において、二次側６にはエルボ部１５が設けられる。エルボ部１５は、感熱部接続口４とヘッド接続口３の間に設けられ、内壁面が緩やかなＲ形状になっており、一次側５から流れる水をスムーズにヘッド接続口３に流す様に形成されている。
【００１６】
火災監視時においては、感熱ヘッド１２の感熱部１２ａにより弁体１０は閉鎖状態に保持され、一次側５と二次側６との間は遮断されているので、消火水が二次側ヘッド接続口３から流出し、消火用ヘッドから放出されることはない。火災発生時、その熱により感熱継手１における感熱ヘッド１２の感熱部１２ａが溶融又は破裂し、弁体１０の支持機構がなくなると、図１（ｂ）に示す様に、弁体１０は、給水配管から供給される消火水の給水圧により上昇し、それにより、弁口９が開口して、一次側５と二次側６とが連通し、二次側ヘッド接続口３より消火水が流出し、その消火水は中継接続管１４を経て図示しない消火用ヘッドから放出される。
【００１７】
この感熱継手１によれば、消火設備において、感熱ヘッド１２が接続される感熱部接続口４を天井方向に向けて設置することが、即ち一次側給水接続口２は水平方向に向けて、二次側ヘッド接続口３は床面方向に向けて配置することとなる。このため、感熱ヘッド１２の感熱部１２ａを受熱効率の高い天井側に配置しつつつも、一次側給水接続口２及び二次側ヘッド接続口３に給水配管及び消火用ヘッドをそれぞれ接続するにあたり、例えば、エルボの介在なしに、長さを調整する中継接続管のみの介在で接続することができ、従って、消火設備における、施工工数、配管コスト費ともに削減をすることができる。
【００１８】
[第２の実施の形態]
この発明の第２の実施の形態を図２に基づき説明する。尚、第１の実施の形態と共通する構成については同一図面符号を付してその説明を省略する。図２において、感熱継手２０の本体は、全体として略Ｔ字状をなす管体により構成され、両端と中央に接続口を有する。具体的には、両端が開口する直状部の一方の端部に感熱部接続口２２を有し、他方の端部に二次側ヘッド接続口２３を有し、感熱部接続口２２と二次側ヘッド接続口２３との間の中央の接続口には、感熱部接続口２２及び二次側ヘッド接続口２３と９０度異なる開口方向を有する一次側給水接続口２４を有している。即ち、感熱継手２０をその感熱部接続口２２を天井方向に向けて設置すれば、一次側給水接続口２４は水平方向を向き、二次側ヘッド接続口２３は床面方向を向く様に構成されている。
【００１９】
更に、継手２０の本体内には、当該本体内を一次側２５と二次側２６とに区画し、略Ｌ字を形成して連続する両者間の連通を開閉するアングル状弁部２７が設けられている。このアングル状弁部２７は、具体的には、一次側給水接続口２４に連続して設けられた弁口２８の縁部の感熱部接続口２２側に設けられた軸止部２９により回動自在に軸止めされ、弁口２８を開閉するアングル状弁体３０によって構成されている。このアングル状弁体３０は、一次側給水接続口２４と感熱部接続口２２との間に軸止され、一次側給水接続口２４とヘッド接続口２３との間を閉塞可能に設けてある。
【００２０】
アングル状弁体３０には、弁体３０より本体内側方向に臨み、弁体３０と一体に回動する係止部３１が設けられており、更に、継手２０本体内には、本体内及び感熱ヘッド１２内を軸方向に移動可能なピストン３２が設けられている。常時、即ち火災監視時においては、図２（ａ）に示す様に、感熱ヘッド１２のアーム先端連結部１２ｂと、先端部３２ａが係止部３１の背面に当接した状態のピストン３２の基端部３２ｂとの間に配置される感熱部１２ａによって、ピストン３２及び係止部３１を介して、弁体３０は弁口２８を塞いだ状態で支持される。そして、弁体３０は、感熱部１２ａが火災時の熱を感知したときに開放する方向に移動する様に本体内に設けられる。
【００２１】
感熱継手２０は、上記感熱継手１と同様に、例えば消火設備において継手であると共に火災発生時に熱を感知して弁を開放する感熱開放弁として設けられるものであり、一次側給水接続口２４には給水配管（図示省略）に接続される中継接続管（図示省略）が接続され、二次側ヘッド接続口２３には開放型消火用ヘッド（図示省略）に接続される中継接続管（図示省略）が接続される。
【００２２】
火災監視時においては、感熱ヘッド１２の感熱部１２ａにより弁体３０は閉鎖状態に保持され、一次側２５と二次側２６との間が遮断されているので、消火水が二次側ヘッド接続口２３から流出し、消火用ヘッドから放出されることはない。火災発生時、その熱により感熱継手２０における感熱ヘッド１２の感熱部１２ａが溶融又は破裂し、弁体３０の支持機構がなくなると、図２（ｂ）に示す様に、弁体３０は、給水配管から供給される消火水の給水圧により、ピストン３２を押し上げながら、軸止部２９を軸として本体内側方向に回動し、それにより、弁口２８が開口して、一次側２５と二次側２６とが矢印の如く連通し、二次側ヘッド接続口２３より消火水が流出し、その消火水は中継接続管を経て消火用ヘッドから放出される。尚、この際、弁体３０の長さは、感熱継手本体の内径とほぼ等しい長さであるので、給水接続口２４から感熱部接続口２２へ水が流れるのを防止する。
【００２３】
この感熱継手２０によっても、消火設備において、感知ヘッド１２が接続される感熱部接続口２２を天井方向に向けて設置することが、即ち一次側給水接続口２２は水平方向に向けて、二次側ヘッド接続口２３は床面方向に向けて配置することとなるので、感知ヘッド１２の感熱部１２ａを受熱効率の高い天井側に配置しつつつも、一次側給水接続口２２及び二次側ヘッド接続口２３に給水配管及び消火用ヘッドをそれぞれ接続するにあたり、例えば、エルボの介在なしに、長さを調整する中継接続管のみの介在で接続することができ、従って、消火設備における、施工工数、配管コスト費ともに削減をすることができる。
【図面の簡単な説明】
【００２４】
【図１】この発明の継手の第１の実施の形態を示す断面図で、（ａ）が弁体が閉のときの状態を示し、（ｂ）が弁体が開のときの状態を示す。
【図２】同上の第２の実施の形態を示す断面図で、図１と同様に、（ａ）が弁体が閉のときの状態を示し、（ｂ）が弁体が開のときの状態を示す。
【図３】従来例を示す断面図である。
【符号の説明】
【００２５】
１      感熱継手
２      一次側給水接続口
３      二次側ヘッド接続口
４      感熱部接続口
５      一次側
６      二次側
７      弁部
８      隔壁
９      弁口
１０    弁体
１１    弁棒
１２    感熱ヘッド
１２ａ  感熱部
１２ｂ  アーム先端連結部
１３    中継接続管（一次側）
１４    中継接続管（二次側）
１５    エルボ部
２０    感熱継手
２２    感熱部接続口
２３    二次側ヘッド接続口
２４    一次側ヘッド接続口
２５    一次側
２６    二次側
２７    アングル状弁部
２８    弁口
２９    軸止部
３０    アングル状弁体
３１    係止部
３２    ピストン
３２ａ  ピストン先端部
３２ｂ  ピストン基端部
【図１】
2007252502.tif 000003
【図２】
2007252502.tif 000004
【図３】
2007252502.tif 000005